(57)【要約】【課題】スプールサイズを容易に交換できる簡易な構成のスプール調整枠体を備えた魚釣用リールを提供する。【解決手段】本発明に係る魚釣用リールは、スプール５ａの両フランジ５ｂ，５ｃの外周が隙間をもって嵌装する左右一対の環状部１０ａ，１０ｂを有し連結部で一体化したスプールサイズ調整枠体を備えている。このスプールサイズ調整枠体をリール本体の内部取り付け部に装着し、スプールサイズ調整枠体とフレーム２に取り付けられる外側板３ａとの間に弾性材１２を介在し、外側板３ａをフレーム２に取り付けることで、スプールサイズ調整枠体をリール本体１に圧着保持する。【選択図】    図１
2004290019.tif 000002
【特許請求の範囲】
【請求項１】
フレームとこれに装着される外側板とを備えたリール本体に釣糸が巻回されるスプールを回転自在に支持した魚釣用リールにおいて、
前記スプールの両フランジ外周が隙間をもって嵌装する左右一対の環状部を有し連結部で一体化したスプールサイズ調整枠体を備え、
このスプールサイズ調整枠体をリール本体の内部取り付け部に装着し、前記スプールサイズ調整枠体とフレームに取り付けられる外側板との間、又はスプールサイズ調整枠体とフレームとの間に弾性材を介在し、前記外側板をフレームに取り付けることで、前記スプールサイズ調整枠体をリール本体に圧着保持したことを特徴とする魚釣用リール。
【発明の詳細な説明】
【０００１】
【発明の属する技術分野】
本発明は、リール本体の外側板間に釣糸が巻回されるスプールを回転自在に支持した魚釣用リールに関する。
【０００２】
【従来の技術】
一般的に、釣人は、対象魚、釣法等の状況変化に対応するために、予め糸巻き容量の異なる数種類のリールを所持しているが、費用がかかり、不経済である等の問題があった。そこで、サイズの異なるスプールがリール本体に装着できるように、スプールの外形サイズに適合した環状スペーサをリール本体のスプール嵌装孔に着脱可能に固定したものが知られている（例えば、特許文献１参照）。
【０００３】
【特許文献１】
実開平７−１７６３号公報。
【０００４】
【発明が解決しようとする課題】
上記した特許文献１に開示されているものは、スプールサイズに応じて適合する環状スペーサをリール本体に直接、螺合固定したり、或いは、ネジ等でリール本体に取り付け固定している。そのため、螺合部のスペースやネジ固定面が環状スペーサに必要となり、その分、大型、重量化してしまう。また、環状スペーサを直接回動して締め付け固定したり、外したりすることになるので、着脱の作業性が悪く、さらには、ネジ締め付けの場合は、位置決めが必要となり、かつドライバーを持参しなければならないので、面倒であると共に作業性も悪くなってしまう。
【０００５】
この発明は、上述した問題点に基づいてなされたものであり、スプールサイズを容易に交換できる簡易な構成のスプール調整枠体を備えた魚釣用リールを提供することを目的とする。
【０００６】
【課題を解決するための手段】
上記した課題を解決するために、本発明は、フレームとこれに装着される外側板とを備えたリール本体に釣糸が巻回されるスプールを回転自在に支持した魚釣用リールにおいて、前記スプールの両フランジ外周が隙間をもって嵌装する左右一対の環状部を有し連結部で一体化したスプールサイズ調整枠体を備え、このスプールサイズ調整枠体をリール本体の内部取り付け部に装着し、前記スプールサイズ調整枠体とフレームに取り付けられる外側板との間、又はスプールサイズ調整枠体とフレームとの間に弾性材を介在し、前記外側板をフレームに取り付けることで、前記スプールサイズ調整枠体をリール本体に圧着保持したことを特徴とする。
【０００７】
上記した構成では、スプールサイズ調整枠体は、一方の外側板を取り外した状態で、リール本体の所定の位置に装着される。そして、スプールを所定位置に装着した後、弾性材を介在させて前記一方の外側板をスプールサイズ調整枠体に当て付けるように取り付けることで、スプールサイズ調整枠体はリール本体に対して圧着保持される。或いは、スプールサイズ調整枠体をリール本体の所定の位置に装着する際、スプールサイズ調整枠体とフレームとの間に弾性材を介在させておき、この状態で前記一方の外側板をスプールサイズ調整枠体に当て付けるように取り付けることで、スプールサイズ調整枠体はリール本体に対して圧着保持される。
【０００８】
【発明の実施の形態】
以下、本発明に係る魚釣用リールの一実施形態について、添付図面を参照しながら具体的に説明する。
図１は、魚釣用リール（両軸受型リール）の構成を示す部分断面平面図、図２は、スプール部分を拡大して示す図、そして、図３は、スプールサイズ調整枠体（以下、枠体とする）の構成を示す斜視図である。
【０００９】
魚釣用リールのリール本体１は、左右フレーム２ａ，２ｂを具備するフレーム２と、左右フレーム２ａ，２ｂに所定の空間をもって装着される左右外側板３ａ，３ｂとを備えている。左右フレーム２ａ，２ｂは、複数の支柱を介して一体化されてフレーム２を形成しており、下方の支柱には、釣竿のリールシートに装着されるリール脚が設けられている。前記両外側板３ａ，３ｂは、右外側板３ｂ側から複数の止めネジ４を螺入することで、フレーム２に固定されるようになっている。
【００１０】
左右フレーム２ａ，２ｂ（左右外側板３ａ，３ｂ）間には、スプール軸５が軸受６ａ，６ｂを介して回転可能に支持されており、このスプール軸５には、釣糸が巻回されるスプール５ａが取り付けられている。この場合、左右フレーム２ａ，２ｂの内、スプール５ａが挿脱できる側（本実施形態では、反ハンドル側となる左フレーム２ａ側）には、スプール５ａの両サイドに形成されたフランジ５ｂ，５ｃが挿通できるように円形の嵌孔部２ｃが形成されている。また、右フレーム２ｂ側には、スプールの右フランジ５ｃが配置される環状の凹所２ｄが形成されている。
【００１１】
前記スプール軸５を回転可能に支持する軸受６ａ，６ｂは、上記したフレーム２に配設されていても良いし、外側板部分に配設されていても良い。本実施形態では、右フレーム２ｂの略中央部分に、スプール側に向けて突出する円筒部２ｅが形成されており、この円筒部２ｅの内周とスプール軸５との間に軸受６ｂが配設されている。また、左外側板３ａには、スプール側に突出し、前記左フレームに形成された嵌孔部２ｃ内に嵌入される嵌合部３ｃが形成されており、その中央部にスプール側に向けて突出する円筒部３ｄが形成され、この円筒部３ｄの内周とスプール軸５との間に軸受６ａが配設されている。
【００１２】
上記したように構成されるリール本体に対して、外径が小さいスプール５を装着する場合、スプールの両フランジ５ｂ，５ｃの外周面と、夫々対向する左フレーム２ａに形成された嵌孔部２ｃの内周面、及び右フレーム２ｂに形成された凹所２ｄの内周面との間には広い隙間が生じるものの、この隙間には、図３に示すように形成された枠体１０が配置されるようになっている。
【００１３】
枠体１０は、左右一対の環状部１０ａ，１０ｂを、連結部１０ｃによって一体化した形状によって構成されている。この場合、連結部１０ｃは、後述するような作用効果が発揮できるように、円周方向に所定の幅を有して形成されることが好ましい。
【００１４】
このように形成された枠体１０は、図４に示すような関係をもって、小径のスプール５、左外側板３ａと共に、リール本体に組み付けられる。すなわち、図１に示す複数の止めネジ４を緩めて左外側板３ａをフレーム２から取り外し、嵌孔部２ｃに枠体１０及びスプール５ａを挿入し、枠体１０の環状部１０ｂを右フレームの凹所２ｄの外周領域に形成された係止部２ｆに当て付けると共に（図２、及び図５（ｂ）参照）、軸受６ｂが装着されているスプール軸５を円筒部２ｅ内の所定位置に装着する。そして、この状態で、枠体１０の環状部１０ａの外端面にリング状の弾性材１２を介在させ、その状態で左外側板３ａの嵌合部３ｃを嵌孔部２ｃ内に嵌入し、前記複数の止めネジ４を締めて左外側板３ａをフレームに装着する（図５（ａ）参照）。このとき、嵌合部３ｃの外周にフランジ状に形成された押圧部３ｅが弾性材１２を押圧し、弾性材は、環状部１０ａと押圧部３ｅとの間に挟着される。
【００１５】
このように左外側板３ａを左フレーム２ａに装着することにより、弾性材１２の弾性力で、枠体１０はフレーム２に対して圧着保持され、小径のスプール５ａの両フランジ５ｂ，５ｃの外周は、所定の隙間をもって枠体１０の環状部１０ａ，１０ｂに対向する。この場合、弾性材１２が確実に圧着できるように環状部１０ａの外端面に弾性材１２が係合保持される凹部１０ｄを形成しておくことが好ましい。或いは、このような係合保持部は、図６に示すように、前記嵌合部３ｃの押圧部３ｅの押圧面に環状凹部３ｆとして形成しても良い。
【００１６】
上記したように、枠体１０と左外側板３ａとの間に弾性材１２を介在させて枠体１０をリール本体内に圧着保持する構成としたため、スプールサイズに応じて選択される枠体を、ドライバー等の工具を必要とせず、しかも左外側板をフレームに着脱する簡単な作業で枠体の取り付け、交換作業が行なえるようになる。また、枠体１０をリール本体に取り付ける際、従来のようなネジ位置決め作業も不要になるため、取り付け作業も容易に行なえる。さらに、枠体１０には、ネジ等を取り付けるための螺合部等を形成する必要がないため、その構成が簡略化されると共に、小型、軽量化が図れる。
【００１７】
なお、外径が大きいスプール５ａを装着する場合、図７及び図８に示すように、上記した枠体１０を装着することなく、そのままスプール５ａを所定位置に装着すれば良い。このように、大径のスプールを装着した場合、その両フランジ５ｂ，５ｃの外周は、小径スプールの場合と同様、所定の隙間をもって、嵌孔部２ｃの内周面、及び凹所２ｄの内周面に対向する。
【００１８】
上記した実施形態の構成では、弾性材１２を、左外側板３ａと枠体１０の左側の環状部１０ａとの間に介在したが、弾性材は、枠体１０の右側の環状部１０ｂと右フレーム２ｂの凹所２ｄの係止部２ｆとの間に介在させても良いし、或いはその両方に介在した構成であっても良い。このような構成でも、枠体１０を、確実にリール本体に圧着保持することが可能となる。
【００１９】
また、上述したように、枠体１０に、所定の長さを有する円周方向の連結部１０ｃを形成しておくことで、図９及び図１０に示すような使用態様にすることが可能となる。すなわち、通常の使用状態では、図９に示すように、連結部１０ｃを下側に位置付けておき、釣り場移動時や保管時など、非使用状態では、外側板を取り外し、図１０に示すように、枠体の円弧状の連結部１０ｃを上側に半回転させて装着することで、ラインカバーとして使用することが可能となる。
【００２０】
以上、本発明の実施形態について説明したが、本発明は、スプールサイズ調整枠体の構成、及びリール本体に対する装着方法に特徴があり、その他の構成、例えば、ハンドルの装着位置や外側板形状等については、適宜変形することが可能である。
【００２１】
【発明の効果】
以上説明したように、本発明によれば、スプールサイズを容易に交換できる簡易な構成のスプール調整枠体を備えた魚釣用リールが得られる。
【図面の簡単な説明】
【図１】本発明に係る魚釣用リールの一実施形態を示す部分断面平面図。
【図２】スプール部分を拡大して示す図。
【図３】スプールサイズ調整枠体の構成を示す斜視図。
【図４】スプールサイズ調整枠体の装着方法を説明する図。
【図５】（ａ）は、左外側板とスプールサイズ調整枠体との係合部分の拡大図、（ｂ）は、スプールサイズ調整枠体と右フレームとの係合部分の拡大図。
【図６】スプールサイズ調整枠体と右フレームとの係合部分の変形例を示す拡大図。
【図７】外径の大きいスプールを装着した状態を示す魚釣用リールの部分断面平面図。
【図８】図７におけるスプール部分を拡大して示す図。
【図９】通常使用時におけるスプール調整枠体の配置状態を示す中央断面図。
【図１０】非使用時におけるスプール調整枠体の配置状態を示す中央断面図。
【符号の説明】
１  リール本体
２  フレーム
３ａ，３ｂ  外側板
５ａ  スプール
５ｂ，５ｃ  フランジ
１０  スプールサイズ調整枠体
１０ａ，１０ｂ  環状部
１０ｃ  連結部
１２  弾性材
【図１】
2004290019.tif 000003
【図２】
2004290019.tif 000004
【図３】
2004290019.tif 000005
【図４】
2004290019.tif 000006
【図５】
2004290019.tif 000007
【図６】
2004290019.tif 000008
【図７】
2004290019.tif 000009
【図８】
2004290019.tif 000010
【図９】
2004290019.tif 000011
【図１０】
2004290019.tif 000012